(57)【要約】  本発明の課題は、単一のコンポーネントキャリアを用いた通信、及び複数のコンポーネントキャリアを用いた通信に対応できる無線通信技術を提供することにある。本発明は、複数のキャリアを用いた通信において、前記複数のキャリアで用いられる共通の信号系列に、各キャリアに応じた信号処理を行う処理手段を有することを特徴とする。
2010116881.tif 000002
【特許請求の範囲】
【請求項１】
複数のキャリアを用いた通信において、前記複数のキャリアで用いられる共通の信号系列に、各キャリアに応じた信号処理を行う処理手段を有することを特徴とする無線通信システム。
【請求項２】
前記処理手段は、複数のキャリアを同時に用いた通信において、前記信号処理を行うことを特徴とする請求項１に記載の無線通信システム。
【請求項３】
前記処理手段は、各キャリアで異なる位相オフセット及びサイクリックシフトの少なくとも１つを付加することを特徴とする請求項１又は請求項２に記載の無線通信システム。
【請求項４】
前記処理手段は、前記信号系列において、各キャリアで利用するリソースの帯域幅に準じる系列長の信号系列を用いることを特徴とする請求項１から請求項３のいずれかに記載の無線通信システム。
【請求項５】
前記処理手段は、前記信号系列において、利用する全キャリアのリソースの帯域幅に準じる系列長の信号系列を用いることを特徴とする請求項１から請求項３のいずれかに記載の無線通信システム。
【請求項６】
前記処理手段は、キャリア毎に通知される前記フォーマットによって定義される信号系列に信号処理を付加することを特徴とする請求項１から請求項５のいずれかに記載の無線通信システム。
【請求項７】
前記処理手段は、特定のキャリアで通知される前記フォーマットによって定義される信号系列に信号処理を付加することを特徴とする請求項１から請求項５のいずれかに記載の無線通信システム。
【請求項８】
前記処理手段は、キャリア毎に通知される位相オフセット又はサイクリックシフトを付加することを特徴とする請求項１から請求項７のいずれかに記載の無線通信システム。
【請求項９】
前記処理手段は、特定のキャリアで通知される位相オフセット又はサイクリックシフトを付加することを特徴とする請求項１から請求項７のいずれかに記載の無線通信システム。
【請求項１０】
前記共通の信号系列は、フォーマットによって定義されていることを特徴とする請求項１から請求項９のいずれかに記載の無線通信システム。
【請求項１１】
複数のキャリアを用いた通信において、前記複数のキャリアで用いられる共通の信号系列に、各キャリアに応じた信号処理を行う処理手段を有することを特徴とする基地局。
【請求項１２】
前記処理手段は、複数のキャリアを同時に用いた通信において、前記信号処理を行うことを特徴とする請求項１１に記載の基地局。
【請求項１３】
前記処理手段は、各キャリアで異なる位相オフセット及びサイクリックシフトの少なくとも１つを付加することを特徴とする請求項１１又は請求項１２に記載の基地局。
【請求項１４】
前記処理手段は、前記信号系列において、各キャリアで利用するリソースの帯域幅に準じる系列長の信号系列を用いることを特徴とする請求項１１から請求項１３のいずれかに記載の基地局。
【請求項１５】
前記処理手段は、前記信号系列において、利用する全キャリアのリソースの帯域幅に準じる系列長の信号系列を用いることを特徴とする請求項１１から請求項１３のいずれかに記載の基地局。
【請求項１６】
前記処理手段は、キャリア毎に通知される前記フォーマットによって定義される信号系列に信号処理を付加することを特徴とする請求項１１から請求項１５のいずれかに記載の基地局。
【請求項１７】
前記処理手段は、特定のキャリアで通知される前記フォーマットによって定義される信号系列に信号処理を付加することを特徴とする請求項１１から請求項１５のいずれかに記載の基地局。
【請求項１８】
前記処理手段は、キャリア毎に通知される位相オフセット又はサイクリックシフトを付加することを特徴とする請求項１１から請求項１７のいずれかに記載の基地局。
【請求項１９】
前記処理手段は、特定のキャリアで通知される位相オフセット又はサイクリックシフトを付加することを特徴とする請求項１１から請求項１７のいずれかに記載の基地局。
【請求項２０】
前記共通の信号系列は、フォーマットによって定義されていることを特徴とする請求項１１から請求項１９のいずれかに記載の基地局。
【請求項２１】
複数のキャリアを用いた通信において、前記複数のキャリアで用いられる共通の信号系列に、各キャリアに応じた信号処理を行う処理手段を有することを特徴とする端末。
【請求項２２】
前記処理手段は、複数のキャリアを同時に用いた通信において、前記信号処理を行うことを特徴とする請求項２１に記載の端末。
【請求項２３】
前記処理手段は、各キャリアで異なる位相オフセット及びサイクリックシフトの少なくとも１つを付加することを特徴とする請求項２１又は請求項２２に記載の端末。
【請求項２４】
前記処理手段は、前記信号系列において、各キャリアで利用するリソースの帯域幅に準じる系列長の信号系列を用いることを特徴とする請求項１から請求項３のいずれかに記載の無線通信システム。
【請求項２５】
前記処理手段は、前記信号系列において、利用する全キャリアのリソースの帯域幅に準じる系列長の信号系列を用いることを特徴とする請求項２１から請求項２３のいずれかに記載の端末。
【請求項２６】
前記処理手段は、キャリア毎に通知される前記フォーマットによって定義される信号系列に信号処理を付加することを特徴とする請求項２１から請求項２５のいずれかに記載の端末。
【請求項２７】
前記処理手段は、特定のキャリアで通知される前記フォーマットによって定義される信号系列に信号処理を付加することを特徴とする請求項２１から請求項２５のいずれかに記載の端末。
【請求項２８】
前記処理手段は、キャリア毎に通知される位相オフセット又はサイクリックシフトを付加することを特徴とする請求項２１から請求項２７のいずれかに記載の端末。
【請求項２９】
前記処理手段は、特定のキャリアで通知される位相オフセット又はサイクリックシフトを付加することを特徴とする請求項２１から請求項２７のいずれかに記載の端末。
【請求項３０】
前記共通の信号系列は、フォーマットによって定義されていることを特徴とする請求項２１から請求項２９のいずれかに記載の端末。
【請求項３１】
複数のキャリアを用いた通信において、前記複数のキャリアで用いられる共通の信号系列に、各キャリアに応じた信号処理を行う処理ステップを有することを特徴とする無線通信方法。
【請求項３２】
前記処理ステップは、複数のキャリアを同時に用いた通信において、前記信号処理を行うことを特徴とする請求項３１に記載の無線通信方法。
【請求項３３】
前記処理ステップは、各キャリアで異なる位相オフセット及びサイクリックシフトの少なくとも１つを付加することを特徴とする請求項３１又は請求項３２に記載の無線通信方法。
【請求項３４】
前記処理ステップは、前記信号系列において、各キャリアで利用するリソースの帯域幅に準じる系列長の信号系列を用いることを特徴とする請求項３１から請求項３３のいずれかに記載の無線通信方法。
【請求項３５】
前記処理ステップは、前記信号系列において、利用する全キャリアのリソースの帯域幅に準じる系列長の信号系列を用いることを特徴とする請求項３１から請求項３３のいずれかに記載の無線通信方法。
【請求項３６】
前記処理ステップは、キャリア毎に通知される前記フォーマットによって定義される信号系列に信号処理を付加することを特徴とする請求項３１から請求項３５のいずれかに記載の無線通信方法。
【請求項３７】
前記処理ステップは、特定のキャリアで通知される前記フォーマットによって定義される信号系列に信号処理を付加することを特徴とする請求項３１から請求項３５のいずれかに記載の無線通信方法。
【請求項３８】
前記処理ステップは、キャリア毎に通知される位相オフセット又はサイクリックシフトを付加することを特徴とする請求項３１から請求項３７のいずれかに記載の無線通信方法。
【請求項３９】
前記処理ステップは、特定のキャリアで通知される位相オフセット又はサイクリックシフトを付加することを特徴とする請求項３１から請求項３７のいずれかに記載の無線通信方法。
【請求項４０】
前記共通の信号系列は、フォーマットによって定義されていることを特徴とする請求項３１から請求項３９のいずれかに記載の無線通信方法。
【請求項４１】
基地局のプログラムであって、前記プログラムは前記基地局に、複数のキャリアを用いた通信において、前記複数のキャリアで用いられる共通の信号系列に、各キャリアに応じた信号処理を実行させることを特徴とするプログラム。
【請求項４２】
端末のプログラムであって、前記プログラムは前記端末に、複数のキャリアを用いた通信において、前記複数のキャリアで用いられる共通の信号系列に、各キャリアに応じた信号処理を実行させることを特徴とするプログラム。
【発明の詳細な説明】
【技術分野】
【０００１】
本発明は、複数のキャリアを用いた無線通信の信号処理に関する。
【背景技術】
【０００２】
3rd Generation Partnership Project(３GPP)での標準化が収束段階にあるLong Term Evolution(LTE)の上りリンクのアクセス方式は、Single Carrier-Frequency Division Multiplexing Access (SC-FDMA)が採用されている。尚、周波数領域でサブキャリアマッピングを行なう送信機構成の場合、そのアクセス方式は、Discrete Fourier Transform-Spread-Orthogonal Frequency Division Multiplexing(DFT-S-OFDM)とも呼ばれる。【０００３】
SC-FDMAが採用されている理由として、ピーク対平均電力比(Peak to Average Power Ratio：PAPR)が小さいために、カバレッジを大きくできることが挙げられる。なお、SC-FDMAのリソースブロック割り当ては、周波数軸上において連続なリソースブロック(Resource Block:RB)のみに制限される。ここで、リソースブロックは複数のサブキャリアから構成され、LTEでは１リソースブロックは１２サブキャリアから構成される。【０００４】
LTE上りリンクのリファレンス信号は、PAPRが小さいという特徴を持つConstant Amplitude Zero Auto-Correlation(CAZAC)系列が採用されている。CAZAC系列は、時間及び周波数両領域において一定振幅でかつ位相差０以外の自己相関値が０となる系列である。時間領域で一定振幅であることからPAPRを小さく抑えられ、かつ周波数領域においても一定振幅であることから周波数領域における伝搬路推定に適する系列である。CAZAC系列の系列数は、その系列長に依存する。例えば、CAZAC系列の１つとして、LTEで採用されている式１で表されるZadoff-Chu系列がある(非特許文献１参照)。
（式１）
2010116881.tif 000003
【０００５】
Zadoff-Chu系列では、系列数が最大となるのは系列長が素数Ｌとなる場合であり、その系列数はL−１となる。LTEではCAZAC系列の系列数を確保するために、素数長のZadoff-Chu系列をサイクリックエクステンションした系列が用いられる。サイクリックエクステンションは、図１に示すようにZadoff-Chu系列をデータ信号のサブキャリア数に合わせて、周波数領域において系列長を拡張する手法である。サイクリックエクステンションを用いることによって、上述のCAZAC系列の性質を大きく損なわずに、多くの系列長を確保することができる。以降では、LTEに用いられるリファレンス信号系列をCAZAC系列と記述する。【０００６】
LTEのスペックでは、系列長の異なるCAZAC系列を含むCAZAC系列グループが３０種類規定されており、各セルで１つのCAZAC系列グループが割り当てられる。なお、１つのCAZAC系列はある１つのCAZAC系列グループにのみ属するため、CAZAC系列グループが異なれば、必ず異なるCAZAC系列を用いることになる。また、CAZAC系列グループがサポートする系列長は現状、LTEの最大帯域幅の２０MHzまでとなっている。
【非特許文献１】B. M. Popovic, “Generalized Chirp-Like Polyphase Sequences with Optimum Correlation Properties,” IEEE Transactions on Information Theory, Vol.38, No.4, pp1406-1409, July 1992.
【発明の開示】
【発明が解決しようとする課題】
【０００７】
現在、３GPPにおいてLTEの次世代システムであるLTE-Advancedの標準化が進められており、LTE-Advancedの最大通信速度として下りリンク１Gbps、上りリンク５００Mbps程度が要求されている。そのため、LTE-Advancedでは、LTEの２０MHzよりも広いシステム帯域幅が必要となる。そこで、LTEで用いられていたコンポーネントキャリア(キャリアとも呼ぶ。最大２０MHz)を複数束ねるキャリアアグリゲーションと呼ばれる技術が用いられる。【０００８】
LTE-Advancedでは、LTEと共通の物理チャネル構成を用いることが合意されている。したがって、LTE-Advanced上りリンクの物理チャネル構成は、図１３に示されるように制御信号送信に用いるPhysical Uplink Control Channel(PUCCH)がコンポーネントキャリアの両端に位置する。このため、データ送信に用いるPhysical Uplink Shared Channel(PUSCH)は周波数軸上において不連続なリソースブロックを用いることになる。以上のことから、複数のコンポーネントキャリア(キャリアアグリゲーション)を用いて送信する場合、LTE-Advanced上りリンクのアクセス方式は複数のDFTを用いるN x DFT-S-OFDMを用いる。ここで、Nは束ねるコンポーネントキャリアの数となる。【０００９】
また、キャリアアグリゲーションを行うある１つのコンポーネントキャリア内の上りリンクアクセス方式は、Channel-dependentスケジューリングによるマルチユーザダイバーシチ効果を向上させるため、周波数軸上において不連続なリソースブロックに割り当てができるように拡張される。ここで、Channel-dependentスケジューリングとは、伝搬路が周波数選択性フェージングとなる環境において周波数領域の伝搬路品質が優れた移動局にリソースブロックを割り当てるスケジューリング方法である。つまり、１つのコンポーネントキャリア内では、LTEと同様に１つのDFTを用いるが、周波数軸上において不連続なリソースブロックの割り当てが可能なClustered DFT-S-OFDMを用いる。【００１０】
また、LTE-Advanced基地局は、SC-FDMAのアクセス方式のみに対応しているLTE移動局もサポートすることがLTE-Advancedシステムにおける要求条件として挙げられている必要がある。つまり、LTE移動局はLTE-Advanced基地局、LTE基地局のいずれのセル内においても問題なく通信できる必要がある。【００１１】
キャリアアグリゲーションを用いて広帯域送信を行うシステムにおいて、単一のコンポーネントキャリアを用いて通信する移動局又は基地局にも対応させるために、複数のコンポーネントキャリアで同一のリファレンス信号系列を繰り返し用いる構成にすると、PAPRが大きくなってしまうという問題が発生してしまう。これは、各コンポーネントキャリアで用いるリファレンス信号が同一であるため、同一の信号を同相加算する場合が発生してしまうからである。【００１２】
本発明の目的は、単一のコンポーネントキャリアを用いた通信、及び複数のコンポーネントキャリアを用いた通信に対応できる無線通信技術を提供することにある。
【課題を解決するための手段】
【００１３】
上記課題を解決するための本発明は、無線通信システムであって、複数のキャリアを用いた通信において、前記複数のキャリアで用いられる共通の信号系列に、各キャリアに応じた信号処理を行う処理手段を有することを特徴とする。【００１４】
上記課題を解決するための本発明は、基地局であって、複数のキャリアを用いた通信において、前記複数のキャリアで用いられる共通の信号系列に、各キャリアに応じた信号処理を行う処理手段を有することを特徴とする。【００１５】
上記課題を解決するための本発明は、端末であって、複数のキャリアを用いた通信において、前記複数のキャリアで用いられる共通の信号系列に、各キャリアに応じた信号処理を行う処理手段を有することを特徴とする。【００１６】
上記課題を解決するための本発明は、無線通信方法であって、複数のキャリアを用いた通信において、前記複数のキャリアで用いられる共通の信号系列に、各キャリアに応じた信号処理を行う処理ステップを有することを特徴とする。【００１７】
上記課題を解決するための本発明は、基地局のプログラムであって、前記プログラムは前記基地局に、複数のキャリアを用いた通信において、前記複数のキャリアで用いられる共通の信号系列に、各キャリアに応じた信号処理を実行させることを特徴とする。【００１８】
上記課題を解決するための本発明は、端末のプログラムであって、前記プログラムは前記端末に、複数のキャリアを用いた通信において、前記複数のキャリアで用いられる共通の信号系列に、各キャリアに応じた信号処理を実行させることを特徴とする。
【発明の効果】
【００１９】
本発明によると、単一のコンポーネントキャリアを用いた通信、及び複数のコンポーネントキャリアを用いた無線通信に対応できる。
【図面の簡単な説明】
【００２０】
【図１】サイクリックエクステンションを説明するための図である。
【図２】本発明のシステム概略図である。
【図３】第１の実施形態を適用した移動通信システムにおける基地局の主要構成を示すブロック図である。
【図４】第１の実施形態を適用した移動通信システムにおける移動局の主要構成を示すブロック図である。
【図５】第１の実施形態におけるCAZAC系列の送信方法を示す図である。
【図６】第１の実施形態における実施例１のCAZAC系列の送信に関する制御信号に送信方法を示す図である。
【図７】第１の実施形態における実施例２のCAZAC系列の送信に関する制御信号に送信方法を示す図である。
【図８】第１の実施形態における実施例３のCAZAC系列の送信に関する制御信号に送信方法を示す図である。
【図９】第１の実施形態における実施例４のCAZAC系列の送信に関する制御信号に送信方法を示す図である。
【図１０】第２の実施形態におけるCAZAC系列の送信方法を示す図である。
【図１１】第２の実施形態における実施例５のCAZAC系列の送信に関する制御信号に送信方法を示す図である。
【図１２】第１の実施形態における実施例６のCAZAC系列の送信に関する制御信号に送信方法を示す図である。
【図１３】LTE-Advancedの物理チャネル構成を示す図である。
【図１４】本発明の効果を示す図である。
【図１５】第１の実施形態の動作を示すフロー図である。
【図１６】第２の実施形態の動作を示すフロー図である。
【発明を実施するための最良の形態】
【００２１】
次に、本発明に係る無線通信システムについて、図面を参照して説明する。【００２２】
（第１の実施形態）
本発明の第１の実施形態では、コンポーネントキャリア共通のCAZAC系列を用い、それぞれのコンポーネントキャリアごとに異なる位相オフセットを付加することを特徴とする。【００２３】
図２は、本発明の無線通信システムの概略図である。図２に示すように、本発明の無線通信システムは、複数の基地局と複数の移動局（UE: User Equipment）を有する。図２ではそれぞれ２つの基地局と移動局を記載しているがこれに限定されたものではなく、それぞれ少なくとも１つの基地局と移動局が有していればよい。図３は本発明の第１実施形態における基地局の概略的構成を示すブロック図である。ここでは、キャリアアグリゲーションを行うコンポーネントキャリア数がNである場合の例である。【００２４】
基地局２００は、無線通信部２０１、制御部２０２、サイクリックプレフィックス除去部２０３、IFFT部２０４、サブキャリアデマッピング部２０５、チャネル推定部２０６、データ信号は周波数等化部２０７、IDFT部２０８、データ信号復調部２０９、及び制御信号生成部２１０を有する。【００２５】
基地局２００の無線通信部２０１は、移動局からのリファレンス信号およびデータ信号を受信する。無線通信部２０１は受信したリファレンス信号およびデータ信号をサイクリックプレフィックス除去部２０３に出力する。尚、以下では、主にDemodulationリファレンス信号を想定して説明するが、Soundingリファレンス信号やRACH（Random Access Channel）プリアンブル等、他の信号であっても良い。【００２６】
制御部２０２は、サイクリックプレフィックス除去部２０３、サブキャリアデマッピング部２０５−１〜２０５−N、チャネル推定部２０６−１〜２０６−N、制御信号生成部２１０をそれぞれ制御する。制御部２０２は、自局で用いるCAZAC系列グループインデックスを制御信号生成部２１０に通知する。基地局が位相オフセットを移動局に通知する構成をとる場合、制御部２０２は位相オフセットに関する情報を制御信号生成部２１０に通知する。【００２７】
サイクリックプレフィックス除去部２０３は、制御部２０２から入力されたサイクリックプレフィックス長などの情報を基にサイクリックプレフィックスを除去し、コンポーネントキャリアの信号ごとにIFFT部２０４−１〜２０４−Nにそれぞれ出力する。【００２８】
IFFT部２０４−１〜２０４−Nでは、時間領域の信号を周波数領域の信号に変換し、サブキャリアデマッピング部２０５−１〜２０５−Nに入力する。【００２９】
サブキャリアデマッピング部２０５−１〜２０５−Nは制御部２０２から入力されたサブキャリアマッピング情報を用いて、マッピングされたサブキャリアを元に戻し、リファレンス信号はチャネル推定部２０６−１〜２０６−Nに、データ信号は周波数等化部２０７−１〜２０７−Nにそれぞれ出力する。【００３０】
チャネル推定部２０６−１〜２０６−Nは、制御部２０２から入力されたCAZAC系列グループおよび位相オフセットを用いて、受信したリファレンス信号系列に通知されたリファレンス信号の共役を乗算する。これにより、伝搬路の周波数応答特性を推定し、推定したチャネルの周波数応答特性を周波数等化部２０７−１〜２０７−Nに入力する。【００３１】
周波数等化部２０７−１〜２０７−Nは、入力されたデータ信号およびチャネルの周波数応答特性を用いて、伝搬路のフェージングによる振幅変動および位相変動を補償する周波数領域等化を行い、IDFT部２０８−１〜２０８−Nに出力する。【００３２】
IDFT部２０８−１〜２０８−Nは、周波数領域の信号から時間領域の信号に変換し、データ信号復調部２０９−１〜２０９−Nに出力する。【００３３】
データ信号復調部２０９−１〜２０９−Nは、それぞれのコンポーネントキャリアで送信されたデータ信号を復調する。【００３４】
制御信号生成部２１０では、制御部２０２から入力された上りリンクのリファレンス信号に用いるCAZAC系列グループに関する情報およびリソース割り当てに関するリソース割当情報をもとに制御信号を生成する。生成された制御信号は無線通信部２０１を通して移動局に送信される。リソース割当情報には、使用するコンポーネントキャリアの情報、各コンポーネントキャリアでのリソースの割り当てが示された割当情報が含まれる。また、基地局が位相オフセットを移動局に通知する構成をとる場合、制御信号生成部２１０は位相オフセットに関する情報、CAZAC系列グループに関する情報およびリソース割り当てに関するリソース割当情報をもとに制御信号を生成する。CAZAC系列グループは、CAZAC系列グループ毎に系列長の異なるCAZAC系列が規定されている。即ち、１つのCAZAC系列はある１つのCAZAC系列グループにのみ属する。従って、CAZAC系列グループが異なれば必ず異なるCAZAC系列を用いることになる。このように以下の説明では、LTEのスペックに準拠したCAZAC系列グループを用いる場合について説明するが、使用するCAZAC系列を基地局が移動局に通知する構成であっても、CAZAC系列数生成部３０４の記憶部に予め記憶しておいてもよい。【００３５】
図４は第１の実施形態における移動局の概略的構成を示すブロック図である。ここでは、キャリアアグリゲーションを行うコンポーネントキャリア数がNである場合の例である。【００３６】
図４において、移動局３００は、無線通信部３０１、制御情報抽出部３０２、制御部３０３、CAZAC系列数生成部３０４、DFT部３０５、サイクリックエクステンション部３０６、位相オフセット付加部３０７、データ信号生成部３０８、DFT部３０９、サブキャリアマッピング部３１０、IFFT部３１１、信号合成部３１２、及びサイクリックプレフィックス付加部３１３を有する。【００３７】
無線通信部３０１は、基地局２００から受信した下り制御信号を制御情報抽出部３０２へ出力する。【００３８】
制御情報抽出部３０２はCAZAC系列グループに関する情報およびリソース割り当てに関する情報を抽出し、制御部３０３に出力する。基地局が位相オフセットを移動局に通知する構成をとる場合、制御情報抽出部３０２は位相オフセットに関する情報も抽出する。【００３９】
制御部３０３は、CAZAC系列数生成部３０４、サイクリックエクステンション部３０６、位相オフセット付加部３０７、データ生成部３０８−１〜３０８−N、サブキャリアマッピング部３１０−１〜３１０−N、サイクリックプレフィックス付加部３１３をそれぞれ制御する。【００４０】
CAZAC系列数生成部３０４は、制御部３０３から入力されたCAZAC系列グループに関する情報およびリソース割当情報に従い、リファレンス信号に用いられるCAZAC系列数をコンポーネントキャリア毎に生成し、DFT部３０５にそれぞれ出力する。CAZAC系列数生成部３０４は、リソース割当情報から、自端末に割り当てられたリソースブロックの数をコンポーネントキャリア毎に知ることができる。LTEの場合、１リソースブロックは１２サブキャリアから構成されるため、あるコンポーネントキャリアに割り当てられたリソースブロックの数がｎであるとすると、データ信号の帯域幅に対応するリファレンス信号の系列長は１２×ｎ＝１２ｎとなる。従って、CAZAC系列数生成部３０４は、制御部３０３から入力されたCAZAC系列グループインデックスで、系列長１２ｎに定義付けられているCAZAC系列数を生成する。例えば、あるコンポーネントキャリアに割り当てられたリソースブロックの数が３であるとして、非特許文献１に示されている系列を用いて説明すると、データ信号のサブキャリア数は１２ｎ、即ち１２×３＝３６となるため、３６の最大素数である系列長L=３１のCAZAC系列を発生させる。このとき、系列数は系列長−１となるので、３１−１＝３０となる。【００４１】
DFT部３０５は、時間領域の信号から周波数領域の信号に変換し、サイクリックエクステンション部３０６に出力する。【００４２】
サイクリックエクステンション部３０６は、CAZAC系列数生成部３０４で生成されたＣＡＺＡＣ系列を用いて、データ信号のサブキャリア数に合わせてコンポーネントキャリア毎に拡張したCAZAC系列であるリファレンス信号を位相オフセット付加部３０７に出力する。データ信号の系列長は、制御部３０３から入力されたリソース割当情報から分かる。例えば、あるコンポーネントキャリアに割り当てられたリソースブロック数ｎが３であるとすると、データ信号のサブキャリア数は上述の通り３６となる。図１にも示されているように、CAZAC系列数生成部３０４で生成された系列長３１のＣＡＺＡＣ系列を用いて３６になるよう拡張される。尚、本説明では、CAZAC系列数をCAZAC系列数生成部３０４、DFT部３０５を介して通知される構成を用いて説明するが、制御部３０３から通知される構成であっても良い。【００４３】
位相オフセット付加部３０７は、制御部３０３から入力されるコンポーネントキャリアごとの位相オフセット情報を基に、位相オフセットを付加したリファレンス信号をサブキャリアマッピング部に３１０−１〜３１０−Nにそれぞれ出力する。なお、周波数軸領域でサイクリックエクステンションしたCAZAC系列を予めCAZAC系列数生成部３０４の記憶部に記憶しておいてもよい。この場合、DFT部３０５、サイクリックエクステンション部３０６は必要ない。また、本説明では、位相オフセット情報を制御部３０３から通知される構成を用いて説明するが、CAZAC系列数生成部３０４、DFT部３０５、サイクリックエクステンション部３０６を介して通知される構成であっても良い。【００４４】
データ信号生成部３０８−１〜３０８−Nは、制御部３０３の制御の下、コンポーネントキャリアごとにデータ生成を行い、それぞれDFT部３０９−１〜３０９−Nに出力する。【００４５】
DFT部３０９−１〜３０９−Nは、時間領域のデータ信号から周波数領域のデータ信号に変換し、サブキャリアマッピング部３１０−１〜３１０−Nに入力する。【００４６】
サブキャリアマッピング部３１０−１〜３１０−Nは、制御部３０３から入力されたリソース割り当てに関する情報を用いて、データ信号およびリファレンス信号をサブキャリアにマッピングし、IFFT部３１１−１〜３１１−Nに出力する。ここで、Clustered DFT-S-OFDMではSC-FDMAと違い、周波数軸上で不連続なサブキャリアにも信号をマッピングすることができる。【００４７】
IFFT部３１１−１〜３１１−Nは、周波数領域の信号から時間領域の信号に変換し、信号合成部３１１に出力する。【００４８】
信号合成部３１２では、コンポーネントキャリアごとの生成された信号の合成を行い、合成された信号はサイクリックプレフィックス付加部３１３に出力する。【００４９】
サイクリックプレフィックス付加部３１３は、制御部３０３の制御の下、サイクリックプレフィックスを付加する。その後、無線信号部３０１を通して、生成された信号を基地局に送信する。【００５０】
次に、図５及び図１５を用いて、第１の実施形態に関するCAZAC系列の送信動作について説明する。【００５１】
基地局の制御信号生成部２１０はCAZAC系列グループに関する情報およびリソース割り当てに関するリソース割当情報を制御信号に記して送信する（ステップS１５０１）。尚、基地局が位相オフセットを移動局に通知する構成をとる場合、制御信号生成部２１０は位相オフセットに関する情報、CAZAC系列グループに関する情報およびリソース割り当てに関するリソース割当情報を制御信号に記す。【００５２】
サブキャリア数、CAZAC系列、位相オフセットを認識する（ステップS１５０２）。ここでは、基地局から受信した制御情報に、キャリアアグリゲーションでコンポーネントキャリア＃１〜＃３の３つを使用することが示されていたと認識する。また、リソース割当情報から、コンポーネントキャリア#１に、連続したリソースブロックが５及び３である不連続リソースブロックグループが２つ割り当てられたことを認識したとする。同様に、コンポーネントキャリア#２に、連続したリソースブロックが４、３、及び３である不連続リソースブロックグループが３つ割り当てられ、コンポーネントキャリア#３に、連続したリソースブロックが２０である不連続リソースブロックグループが１つ割り当てられたことを認識したとする。また、すべてのコンポーネントキャリアにおいて共通の#２のCAZAC系列グループインデックス(グループ番号)を用いるために、基地局から#２のCAZAC系列グループインデックスが送付されたとする。ただし、位相オフセット付加部３０６により、コンポーネントキャリアごとにリファレンス信号に位相オフセットが付加される。コンポーネントキャリア＃１では位相オフセットなし、コンポーネントキャリア#２では位相オフセットπ/４、コンポーネントキャリア#３では位相オフセットπ/２としている。なお、位相オフセットの設定については、以下の実施例で詳しく説明する。【００５３】
具体的には、コンポーネントキャリア#１では、サブキャリア数６０のリソースブロックとサブキャリア数３６のリソースブロックが割り当てられているため、コンポーネントキャリア#１の合計のサブキャリア数は９６となる。したがって、データ信号のサブキャリア数は９６となり、CAZAC系列グループインデックス#２のグループ中に定義されている系列長９６のCAZAC系列を生成する（ステップS１５０３）。そして、CAZAC系列に位相オフセットを付加する処理を行う（ステップS１５０４）が、＃１では位相オフセットを付加しない。生成されたCAZAC系列であるリファレンス信号を６０と３６の系列に分割する（ステップS１５０５）。そしてデータ信号と合成して（ステップS１５０６）、同一帯域で送信する（ステップS１５０７）。このとき、データ信号とリファレンス信号は時分割多重(Time Division Multiplexing(TDM))される。【００５４】
コンポーネントキャリア#２では、サブキャリア数は１０８となるため、CAZAC系列グループインデックス#２のグループ中に定義されている系列長１０８のCAZAC系列を生成する（ステップS１５０３）。そして、CAZAC系列にπ/４の位相オフセットを付加（ステップS１５０４）した後に４８、３６、３６の系列に分割（ステップ１５０５）する。そしてデータ信号と合成して（ステップS１５０６）、同一帯域で送信する（ステップS１５０７）。【００５５】
また、コンポーネントキャリア#３では、サブキャリア数は２４０となるため、CAZAC系列グループインデックス#２のグループ中に定義されている系列長２４０のCAZAC系列を生成する（ステップS１５０３）。そして、CAZAC系列にπ/２の位相オフセットを付加（ステップS１５０４）した後、分割（ステップ１５０５）する。コンポーネントキャリア#３では不連続のリソースブロックグループがないので分割せずにデータ信号と合成して（ステップS１５０６）、同一帯域で送信する（ステップS１５０７）。【００５６】
(実施例１)
第１の実施形態における実施例１について以下で説明する。実施例１ではそれぞれのコンポーネントキャリアの制御信号を通して、使用するCAZAC系列グループおよび位相オフセットに関する情報を通知する。例えば、基地局２００の制御信号生成部２１０は、Physical Broadcast Channel(PBCH)で指定されるPhysical Downlink Shared Channel(PDSCH)のリソースで送信される制御信号の中に、コンポーネントキャリア共通で用いるCAZAC系列グループインデックスおよびそれぞれのコンポーネントキャリアで用いる位相オフセットを記す。【００５７】
図６を用いて、実施例１を具体的に説明する。実施例１では、それぞれのコンポーネントキャリアにおいてCAZAC系列グループインデックスおよび位相オフセットを通知する。例えば、コンポーネントキャリア＃１、＃２、＃３では、共通で使用するCAZAC系列グループインデックスである＃２およびぞれぞれのコンポーネントキャリアの位相オフセット０、π/４、π/２をそれぞれ通知することになる。【００５８】
移動局３００の制御情報抽出部３０２は、自局で使用するコンポーネントキャリア＃１〜＃３を認識し、コンポーネントキャリア毎にCAZAC系列グループインデックスである＃２およびぞれぞれのコンポーネントキャリアの位相オフセットを抽出する。即ち、制御情報抽出部３０２は、コンポーネントキャリア＃１においてはCAZAC系列グループインデックス＃２及び位相オフセット０を抽出し、コンポーネントキャリア＃２においてはCAZAC系列グループインデックス＃２及び位相オフセットπ/４を抽出し、コンポーネントキャリア＃３においてはCAZAC系列グループインデックス＃２及び位相オフセットπ/２を抽出して制御部３０３に通知する。【００５９】
実施例１では、すべてのコンポーネントキャリアにおいてLTEとの共通性が高い。LTEの移動局は、それぞれのコンポーネントキャリアで通知されるCAZAC系列グループインデックスを用い、位相オフセットは付加しない。LTEの移動局は、キャリアアグリゲーションを行わないので、PAPRが増加するという問題は発生しない。【００６０】
(実施例２)
第１の実施形態における実施例２について以下で説明する。実施例２では、ある１つのコンポーネントキャリアを通して、使用するCAZAC系列グループおよび位相オフセットに関する情報を通知する。例えば、基地局２００の制御信号生成部２１０は、ある１つのコンポーネントキャリアのPBCHまたはPBCHで指定されるPDSCHのリソースで送信される制御信号の中にコンポーネントキャリア共通で用いるCAZAC系列グループインデックスおよびそれぞれのコンポーネントキャリアで用いる位相オフセットを記す。【００６１】
図７を用いて、実施例２を具体的に説明する。ここでは、コンポーネントキャリア＃１で制御信号を送る場合である。したがって、コンポーネントキャリア＃１のPDSCHを通して、コンポーネントキャリア＃１、＃２、＃３において使用するCAZAC系列グループインデックスである＃２およびぞれぞれのコンポーネントキャリアの位相オフセット０、π/４、π/２を通知することになる。【００６２】
移動局３００の制御情報抽出部３０２は、自局で使用するコンポーネントキャリア＃１〜＃３を認識し、コンポーネントキャリア＃１の制御信号からCAZAC系列グループインデックスである＃２およびぞれぞれのコンポーネントキャリアの位相オフセットを抽出する。即ち、制御情報抽出部３０２は、コンポーネントキャリア＃１において、CAZAC系列グループインデックス＃２、コンポーネントキャリア＃１で用いられる位相オフセット０、コンポーネントキャリア＃２で用いられる位相オフセットπ/４、及びコンポーネントキャリア＃３で用いられる位相オフセットπ/２を抽出して制御部３０３に通知する。尚、CAZAC系列グループインデックスおよび位相オフセットの情報が通知されるコンポーネントキャリアは、予め決めておいても、制御情報に記しても良い。【００６３】
実施例２では、キャリアアグリゲーションを行う移動局は１つのコンポーネントキャリアを受信すれば、使用するCAZAC系列グループインデックスおよび位相オフセットを知ることができるため、電力消費の観点で有利である。また、LTEの移動局はCAZAC系列グループを通知するコンポーネントキャリアで通信が可能である。このとき、ある１つのコンポーネントキャリアで位相オフセットの設定があってもLTEの移動局に関しては位相オフセットを付加しない。【００６４】
(実施例３)
第１の実施形態における実施例３について以下で説明する。実施例３ではある１つのコンポーネントキャリアを通して、すべてのコンポーネントキャリアで共通に用いるCAZAC系列グループインデックスおよび他のコンポーネントキャリアで用いる位相オフセットの量の差分を通知する。【００６５】
図８を用いて、実施例３を具体的に説明する。ここでは、コンポーネントキャリア＃１で制御信号を送る場合である。したがって、基地局２００の制御信号生成部２１０は、コンポーネントキャリア＃１のPDSCHのリソースで送信される制御信号の中に、コンポーネントキャリア共通で使用するCAZAC系列グループインデックス＃２および位相オフセットの差分である２π/３を記す。この場合、コンポーネントキャリア＃２、＃３では０＋２π/３＝２π/３、０＋２π/３＋２π/３＝４π/３を位相オフセットとして使用することになる。【００６６】
移動局３００の制御情報抽出部３０２は、自局で使用するコンポーネントキャリア＃１〜＃３を認識し、コンポーネントキャリア＃１の制御信号からCAZAC系列グループインデックスである＃２および位相オフセットの差分を抽出して制御部３０３に通知する。これにより、制御部３０３は、全コンポーネントキャリアにおいてCAZAC系列グループインデックス＃２が用いられ、コンポーネントキャリア＃１で用いられる位相オフセットは０、コンポーネントキャリア＃２で用いられる位相オフセットはπ/４、及びコンポーネントキャリア＃３で用いられる位相オフセットはπ/２であることを認識する。尚、CAZAC系列グループインデックスおよび位相オフセットの情報が通知されるコンポーネントキャリアは、予め決めておいても、制御情報に記しても良い。【００６７】
実施例３では、実施例２と同様にキャリアアグリゲーションを行う移動局は１つコンポーネントキャリアのPBCHおよびPDSCHを受信すれば、使用するCAZAC系列グループおよび位相オフセットを知ることができる。そのため、電力消費の観点で有利である。さらに、実施例３ではCAZAC系列に関する制御信号のオーバーヘッドを小さくすることができる。また、LTEの移動局はCAZAC系列グループを通知するコンポーネントキャリアで通信が可能である。このとき、ある１つのコンポーネントキャリアで位相オフセットの設定があってもLTEの移動局に関しては位相オフセットを付加しない。【００６８】
(実施例４)
第１の実施形態における実施例４について以下で説明する。実施例３では、ある１つのキャリアを通して、送信に用いるすべてのコンポーネントキャリアで使用するCAZAC系列グループに関する情報を通知する。ここでは、ある１つのキャリアを用いて、コンポーネントキャリア共通のCAZAC系列グループインデックスのみを通知する。【００６９】
図８を用いて、実施例４を具体的に説明する。ここでは、コンポーネントキャリア＃１で制御情報を送る場合である。したがって、基地局２００の制御信号生成部２１０は、コンポーネントキャリア＃１のPDSCHのリソースで送信される制御信号の中に、コンポーネントキャリア＃１使用するCAZAC系列グループインデックスである＃２を記す。本実施例の場合、コンポーネントキャリア＃２、＃３で使用される位相オフセットを付加するパターンを予め定義する必要がある。例えば、基地局と移動局とに予め、キャリアごとに付加する位相オフセット量を２π/（コンポーネントキャリア数）と定義してあるとする。コンポーネントキャリア数は３なので、位相オフセット量は２π/３となる。したがって、制御部３０３は、コンポーネントキャリア＃２、＃３では、０＋２π/３＝２π/３、０＋２π/３＋２π/３＝４π/３を位相オフセットとして使用すると認識することになる。【００７０】
実施例４では、実施例２、３と同様にキャリアアグリゲーションを行う移動局は１つのコンポーネントキャリアのPBCHおよびPDSCHを受信すれば、使用するCAZAC系列グループを知ることができるため、電力消費の観点で有利である。さらに、実施例４では位相オフセット量を通知しないのでCAZAC系列に関する制御信号のオーバーヘッドを小さくすることができる。【００７１】
尚、上記説明では、キャリアアグリケーション間で位相オフセットを一定量ずつ変更して付加しているが、一定量でなくてもよい。【００７２】
第１の実施形態では、コンポーネントキャリアごとに異なる位相オフセットを付加する例を示したが、位相オフセットの代わりにサイクリックシフトを付加しても同様の効果が得られる。また、位相オフセットおよびサイクリックシフトを併用してもよい。【００７３】
上記実施の形態によると、利用するすべてのキャリアで共通の信号系列に、それぞれのキャリアごとに固有の信号処理を加えることにより、キャリア間で異なるリファレンス信号系列として用いることができる。そのため、PAPRを抑えることができる。【００７４】
（第２の実施形態）
本発明の第２の実施形態では、コンポーネントキャリア共通のCAZAC系列グループを用いる。ただし、CAZAC系列グループは送信するすべてのコンポーネントキャリアの帯域幅をサポートすることを特徴とする。【００７５】
第２の実施形態における基地局の概略的構成は、図３に示した第１の実施形態における基地局の概略的構成と同一であるため、説明は省略する。【００７６】
第２の実施形態における移動局の概略的構成は、図４に示した第１の実施形態における基地局の概略的構成とほぼ同一である。相違点は、位相オフセット付加部３０６がなく、サイクリックエクステンション部３０６から直接サブキャリアマッピング部３１０−１〜３１０−Nに生成したリファレンス信号を入力する点である。また、サイクリックエクステンション部３０６は、発生させたCAZAC系列を、各コンポーネントキャリアの不連続なリソースブロックグループに切り分ける【００７７】
次に、図１０及び図１６を用いて、第２の実施形態に関するCAZAC系列の送信動作について説明する。【００７８】
基地局の制御信号生成部２１０はCAZAC系列グループに関する情報およびリソース割り当てに関するリソース割当情報を制御信号に記して送信する（ステップS１６０１）。【００７９】
サブキャリア数、CAZAC系列を認識する（ステップS１６０２）。ここでは、基地局から受信した制御信号に、キャリアアグリゲーションでコンポーネントキャリア#１〜#３の３つを使用することが示されていたと認識する。また、リソース割当情報から、コンポーネントキャリア#１に、連続したリソースブロック５及び３である不連続リソースブロックグループが２つ割り当てられたことを認識するとする。同様に、コンポーネントキャリア#２に、連続したリソースブロック４、３、及び３である不連続リソースブロックグループが３つ割り当てられ、コンポーネントキャリア#３に、連続したリソースブロックが２０である不連続リソースブロックグループが１つ割り当てられたことを認識したとする。また、すべてのコンポーネントキャリアにおいて共通の#２のCAZAC系列グループインデックスを用いるために、基地局から#２のCAZAC系列グループインデックスが送付されたとする。ただし、すべてのコンポーネントキャリアにおいて、割り当てるサブキャリア全体の帯域幅に対応するCAZAC系列を用い、それぞれの不連続なリソースブロックグループに切り分けることが予め設定されている。【００８０】
具体的には、コンポーネントキャリア全体で割り当てるサブキャリア数である４５６の系列長をもつ、CAZAC系列グループインデックス＃２の中に定義されるCAZAC系列を生成する（ステップS１６０３）。生成したCAZAC系列を、サイクリックエクステンション部３０６は６つの不連続リソースブロックにそれぞれ系列長６０、３６、４８，３６，３６、２４０と順番に切り分ける（ステップS１６０４）。切り分けたCAZAC系列のリファレンス信号をサブキャリアマッピング部３１０−１〜３１０−Nに入力する。各構成部で処理が行われ、信号合成部３１２データ信号と合成して（ステップS１６０５）、同一帯域で送信する（ステップS１６０６）。【００８１】
なお、第２の実施形態ではキャリアアグリゲーションによってサポートする最大の送信帯域幅に対応した系列長のCAZAC系列を各CAZAC系列グループの中に定義する必要がある。したがって、第２の実施形態に用いるCAZAC系列グループに定義しているCAZAC系列長は、第１の実施形態に用いるものよりも大きくなる。【００８２】
（実施例５）
第２の実施形態における実施例５について以下で説明する。実施例５では、それぞれのコンポーネントキャリアのPBCHで指定されるPDSCHを通して、コンポーネントキャリア共通に用いるCAZAC系列グループに関する情報を通知する。【００８３】
図１１を用いて、実施例５を具体的に説明する。実施例５では、それぞれのコンポーネントキャリアの制御信号で、共通に用いるCAZAC系列グループインデックスを通知する。例えば、基地局２００の制御信号生成部２１０は、PBCH)で指定されるPDSCHのリソースで送信される制御信号の中に、コンポーネントキャリア＃１、＃２、＃３共通で使用するCAZAC系列グループインデックスである＃２をそれぞれ記す。【００８４】
実施例５は、すべてのコンポーネントキャリアにおいてLTEとの共通性が高い。実施例５では、現在のLTEと同様にコンポーネントキャリアごとにCAZAC系列グループを通知するため、LTEの移動局はすべてのコンポーネントキャリアで通信をすることが可能となる。【００８５】
（実施例６）
第２の実施形態における実施例６について以下で説明する。実施例６では、ある１つのコンポーネントキャリアのPBCHで指定されるPDSCHを通して、コンポーネントキャリア共通に用いるCAZAC系列グループに関する情報を通知する。【００８６】
図１２を用いて、実施例６を具体的に説明する。ここでは、コンポーネントキャリア＃１の制御信号でCAZAC系列グループに関する情報を送る場合である。したがって、コンポーネントキャリア＃１において、共通に使用するCAZAC系列グループインデックスである＃２をそれぞれ通知することになる。なお、実施例６では、LTEの移動局はCAZAC系列グループに関する情報を送るコンポーネントキャリアで通信を行う。【００８７】
尚、第２の実施の形態では、利用する全キャリアのリソースの帯域幅に準じる系列長の信号系列を用いる構成について説明したが、それぞれのキャリアで異なる信号系列を使うようにできる場合は、各キャリアで利用するリソースの帯域幅に準じる系列長の信号系列を用いた後、切り分ける構成であってもよい。また、第１の実施の形態のように、切り分けた後に位相を付加する構成であってもよい。【００８８】
本実施の形態によると、CAZAC系列グループに関する情報以外は通知しないので制御信号のオーバーヘッドを小さくすることができる。【００８９】
（第３の実施形態）
本発明の第３の実施形態では、複数のコンポーネントキャリアを用いて通信できるように移動局に割り当てるが、キャリアアグリゲーションは行わない場合を用いて説明する。尚、本実施の形態では、第１の実施の形態を用いて説明するが、第２の実施の形態に適用させても良い。【００９０】
第３の実施形態における基地局の概略的構成は、図３に示した第１の実施形態における基地局の概略的構成と同一であるため、説明は省略する。【００９１】
第３の実施形態における移動局の概略的構成は、図４に示した第１の実施形態における基地局の概略的構成とほぼ同一である。相違点は、DFT部３０５、サイクリックエクステンション部３０６、及び位相オフセット付加部３０７が各コンポーネントキャリアに対して実施していた処理を、使用する１つのコンポーネントキャリアに対して行う点である。【００９２】
尚、使用しないコンポーネントキャリアのリファレンス信号には０を挿入して、第１の実施の形態と同じ処理を実施しても良い。【００９３】
本実施の形態によると、単一のコンポーネントキャリアを用いた通信、及び複数のコンポーネントキャリアを用いた無線通信に対応できる。【００９４】
上記本発明の効果について図１４を用いて説明する。条件は、コンポーネントキャリア数が２、各コンポーネントキャリアのサブキャリア数を６０としている。コンポーネントキャリア内で連続リソース割り当ての場合と不連続リソース割り当て(サブキャリア数２４と３６に分割)の場合についてプロットしている。発明非適用時は、コンポーネントキャリア間の位相オフセットを０とし、位相発明適用時は、コンポーネントキャリア間の位相オフセットをπ/２としている。図１４から、本発明により連続リソース割り当て時に３dB程度、不連続リソース割り当て時に１dB程度Cubic Metricを低減することがわかる。ここで、Cubic Metricは振幅の３乗値から計算され、PAPRに相当する指標である。【００９５】
以上の実施形態では、上りリンクについて説明したが、下りリンクにおいても同様に適用できる。また、LTE-Advancedに準拠した構成を用いて説明したが、これに限らず、ｉ−Ｂｕｒｓｔ、Ｗｉｍａｘ、ＣＤＭＡ２０００ ３x 、ＭＣ−ＨＳＤＰＡ（Ｍｕｌｔｉ  Ｃａｒｒｉｅｒ  Ｈｉｇｈ  Ｓｐｅｅｄ  Ｄｏｗｎｌｉｎｋ  Ｐａｃｋｅｔ  Ａｃｃｅｓｓなど、マルチキャリアを用いるシステムに適用可能である。【００９６】
また、以上の実施形態では、３つのコンポーネントキャリアを用いた送信について説明したが、コンポーネントキャリア数が２以上であれば同様な効果がある。【００９７】
リファレンス信号系列としてCAZAC系列を用いたが、それに限定されるものではなく、M系列、gold系列などであってもよい。【００９８】
また、上述した本発明の基地局及び端末は、上記説明からも明らかなように、ハードウェアで構成することも可能であるが、コンピュータプログラムにより実現することも可能である。このような構成の場合、プログラムメモリに格納されているプログラムで動作するプロセッサによって、上述した実施の形態と同様の機能、動作を実現させる。尚、上述した実施の形態の一部の機能をコンピュータプログラムにより実現することも可能である。【００９９】
以上、本発明によると、単一のコンポーネントキャリアを用いた通信、及び複数のコンポーネントキャリアを用いた無線通信に対応できる。また、複数のコンポーネントキャリアを用いる場合に、コンポーネントキャリア間で同一のCAZAC系列を使うことがないため、リファレンス信号のPAPRを小さくすることができる。【０１００】
上記本発明は複数のコンポーネントキャリアを使用する移動無線システム一般に適用可能である。【０１０１】
（付記１）
複数のキャリアを用いた通信において、前記複数のキャリアで用いられる共通の信号系列に、各キャリアに応じた信号処理を行う処理手段を有することを特徴とする無線通信システム。【０１０２】
（付記２）
前記処理手段は、複数のキャリアを同時に用いた通信において、前記信号処理を行うことを特徴とする付記１に記載の無線通信システム。【０１０３】
（付記３）
前記処理手段は、各キャリアで異なる位相オフセット及びサイクリックシフトの少なくとも１つを付加することを特徴とする付記１又は付記２に記載の無線通信システム。【０１０４】
（付記４）
前記処理手段は、前記信号系列において、各キャリアで利用するリソースの帯域幅に準じる系列長の信号系列を用いることを特徴とする付記１から付記３のいずれかに記載の無線通信システム。【０１０５】
（付記５）
前記処理手段は、前記信号系列において、利用する全キャリアのリソースの帯域幅に準じる系列長の信号系列を用いることを特徴とする付記１から付記３のいずれかに記載の無線通信システム。【０１０６】
（付記６）
前記処理手段は、キャリア毎に通知される前記フォーマットによって定義される信号系列に信号処理を付加することを特徴とする付記１から付記５のいずれかに記載の無線通信システム。【０１０７】
（付記７）
前記処理手段は、特定のキャリアで通知される前記フォーマットによって定義される信号系列に信号処理を付加することを特徴とする付記１から付記５のいずれかに記載の無線通信システム。【０１０８】
（付記８）
前記処理手段は、キャリア毎に通知される位相オフセット又はサイクリックシフトを付加することを特徴とする付記１から付記７のいずれかに記載の無線通信システム。【０１０９】
（付記９）
前記処理手段は、特定のキャリアで通知される位相オフセット又はサイクリックシフトを付加することを特徴とする付記１から付記７のいずれかに記載の無線通信システム。【０１１０】
（付記１０）
前記共通の信号系列は、フォーマットによって定義されていることを特徴とする付記１から付記９のいずれかに記載の無線通信システム。【０１１１】
（付記１１）
複数のキャリアを用いた通信において、前記複数のキャリアで用いられる共通の信号系列に、各キャリアに応じた信号処理を行う処理手段を有することを特徴とする基地局。【０１１２】
（付記１２）
前記処理手段は、複数のキャリアを同時に用いた通信において、前記信号処理を行うことを特徴とする付記１１に記載の基地局。【０１１３】
（付記１３）
前記処理手段は、各キャリアで異なる位相オフセット及びサイクリックシフトの少なくとも１つを付加することを特徴とする付記１１又は付記１２に記載の基地局。【０１１４】
（付記１４）
前記処理手段は、前記信号系列において、各キャリアで利用するリソースの帯域幅に準じる系列長の信号系列を用いることを特徴とする付記１１から付記１３のいずれかに記載の基地局。【０１１５】
（付記１５）
前記処理手段は、前記信号系列において、利用する全キャリアのリソースの帯域幅に準じる系列長の信号系列を用いることを特徴とする付記１１から付記１３のいずれかに記載の基地局。【０１１６】
（付記１６）
前記処理手段は、キャリア毎に通知される前記フォーマットによって定義される信号系列に信号処理を付加することを特徴とする付記１１から付記１５のいずれかに記載の基地局。【０１１７】
（付記１７）
前記処理手段は、特定のキャリアで通知される前記フォーマットによって定義される信号系列に信号処理を付加することを特徴とする付記１１から付記１５のいずれかに記載の基地局。【０１１８】
（付記１８）
前記処理手段は、キャリア毎に通知される位相オフセット又はサイクリックシフトを付加することを特徴とする付記１１から付記１７のいずれかに記載の基地局。【０１１９】
（付記１９）
前記処理手段は、特定のキャリアで通知される位相オフセット又はサイクリックシフトを付加することを特徴とする付記１１から付記１７のいずれかに記載の基地局。【０１２０】
（付記２０）
前記共通の信号系列は、フォーマットによって定義されていることを特徴とする付記１１から付記１９のいずれかに記載の基地局。【０１２１】
（付記２１）
複数のキャリアを用いた通信において、前記複数のキャリアで用いられる共通の信号系列に、各キャリアに応じた信号処理を行う処理手段を有することを特徴とする端末。【０１２２】
（付記２２）
前記処理手段は、複数のキャリアを同時に用いた通信において、前記信号処理を行うことを特徴とする付記２１に記載の端末。【０１２３】
（付記２３）
前記処理手段は、各キャリアで異なる位相オフセット及びサイクリックシフトの少なくとも１つを付加することを特徴とする付記２１又は付記２２に記載の端末。【０１２４】
（付記２４）
前記処理手段は、前記信号系列において、各キャリアで利用するリソースの帯域幅に準じる系列長の信号系列を用いることを特徴とする付記１から付記３のいずれかに記載の無線通信システム。【０１２５】
（付記２５）
前記処理手段は、前記信号系列において、利用する全キャリアのリソースの帯域幅に準じる系列長の信号系列を用いることを特徴とする付記２１から付記２３のいずれかに記載の端末。【０１２６】
（付記２６）
前記処理手段は、キャリア毎に通知される前記フォーマットによって定義される信号系列に信号処理を付加することを特徴とする付記２１から付記２５のいずれかに記載の端末。【０１２７】
（付記２７）
前記処理手段は、特定のキャリアで通知される前記フォーマットによって定義される信号系列に信号処理を付加することを特徴とする付記２１から付記２５のいずれかに記載の端末。【０１２８】
（付記２８）
前記処理手段は、キャリア毎に通知される位相オフセット又はサイクリックシフトを付加することを特徴とする付記２１から付記２７のいずれかに記載の端末。【０１２９】
（付記２９）
前記処理手段は、特定のキャリアで通知される位相オフセット又はサイクリックシフトを付加することを特徴とする付記２１から付記２７のいずれかに記載の端末。【０１３０】
（付記３０）
前記共通の信号系列は、フォーマットによって定義されていることを特徴とする付記２１から付記２９のいずれかに記載の端末。【０１３１】
（付記３１）
複数のキャリアを用いた通信において、前記複数のキャリアで用いられる共通の信号系列に、各キャリアに応じた信号処理を行う処理ステップを有することを特徴とする無線通信方法。【０１３２】
（付記３２）
前記処理ステップは、複数のキャリアを同時に用いた通信において、前記信号処理を行うことを特徴とする付記３１に記載の無線通信方法。【０１３３】
（付記３３）
前記処理ステップは、各キャリアで異なる位相オフセット及びサイクリックシフトの少なくとも１つを付加することを特徴とする付記３１又は付記３２に記載の無線通信方法。【０１３４】
（付記３４）
前記処理ステップは、前記信号系列において、各キャリアで利用するリソースの帯域幅に準じる系列長の信号系列を用いることを特徴とする付記３１から付記３３のいずれかに記載の無線通信方法。【０１３５】
（付記３５）
前記処理ステップは、前記信号系列において、利用する全キャリアのリソースの帯域幅に準じる系列長の信号系列を用いることを特徴とする付記３１から付記３３のいずれかに記載の無線通信方法。【０１３６】
（付記３６）
前記処理ステップは、キャリア毎に通知される前記フォーマットによって定義される信号系列に信号処理を付加することを特徴とする付記３１から付記３５のいずれかに記載の無線通信方法。【０１３７】
（付記３７）
前記処理ステップは、特定のキャリアで通知される前記フォーマットによって定義される信号系列に信号処理を付加することを特徴とする付記３１から付記３５のいずれかに記載の無線通信方法。【０１３８】
（付記３８）
前記処理ステップは、キャリア毎に通知される位相オフセット又はサイクリックシフトを付加することを特徴とする付記３１から付記３７のいずれかに記載の無線通信方法。【０１３９】
（付記３９）
前記処理ステップは、特定のキャリアで通知される位相オフセット又はサイクリックシフトを付加することを特徴とする付記３１から付記３７のいずれかに記載の無線通信方法。【０１４０】
（付記４０）
前記共通の信号系列は、フォーマットによって定義されていることを特徴とする付記３１から付記３９のいずれかに記載の無線通信方法。【０１４１】
（付記４１）
基地局のプログラムであって、前記プログラムは前記基地局に、複数のキャリアを用いた通信において、前記複数のキャリアで用いられる共通の信号系列に、各キャリアに応じた信号処理を実行させることを特徴とするプログラム。【０１４２】
（付記４２）
端末のプログラムであって、前記プログラムは前記端末に、複数のキャリアを用いた通信において、前記複数のキャリアで用いられる共通の信号系列に、各キャリアに応じた信号処理を実行させることを特徴とするプログラム。
【符号の説明】
【０１４３】
２００  基地局
２０１  無線通信部
２０２  制御部
２０３  サイクリックプレフィックス除去部
２０４  IFFT部
２０５  サブキャリアデマッピング部
２０６  チャネル推定部
２０７  周波数等化部
２０８  IDFT部
２０９  データ信号復調部
２１０  制御信号生成部
３００  移動局
３０１  無線通信部
３０２  制御情報抽出部
３０３  制御部
３０４  CAZAC系列数生成部
３０５  DFT部
３０６  サイクリックエクステンション部
３０７  位相オフセット付加部
３０８  データ信号生成部
３０９  DFT部
３１０  サブキャリアマッピング部
３１１  IFFT部
３１２  信号合成部
３１３  サイクリックプレフィックス付加部
【図１】
2010116881.tif 000004
【図２】
2010116881.tif 000005
【図３】
2010116881.tif 000006
【図４】
2010116881.tif 000007
【図５】
2010116881.tif 000008
【図６】
2010116881.tif 000009
【図７】
2010116881.tif 000010
【図８】
2010116881.tif 000011
【図９】
2010116881.tif 000012
【図１０】
2010116881.tif 000013
【図１１】
2010116881.tif 000014
【図１２】
2010116881.tif 000015
【図１３】
2010116881.tif 000016
【図１４】
2010116881.tif 000017
【図１５】
2010116881.tif 000018
【図１６】
2010116881.tif 000019
【国際調査報告】
2010116881.tif 000020
2010116881.tif 000021
2010116881.tif 000022
2010116881.tif 000023
2010116881.tif 000024
2010116881.tif 000025
2010116881.tif 000026